(57)【特許請求の範囲】
【請求項１】
無線ブロードバンドネットワークに用いられる容量計画方法であって、
現在の確定すべきネットワーク計画パラメータに基づいてネットワークを構築しようとする場合において、各ユーザ装置のサービスタイプに応じて前記各ＵＥのアクセス及びスケジューリングを行うことと、
各ＵＥのアクセス及びスケジューリングのインデックス結果を統計することと、
前記インデックス結果がネットワーク容量計画要求を満たすかどうかを判定し、そうであれば、現在のネットワーク計画パラメータがターゲット計画パラメータであると確定し、そうでなければ、各ＵＥのアクセス及びスケジューリングのインデックス結果がネットワーク容量計画要求を満たすまでネットワーク計画パラメータを調整することと、
を含むことを特徴とする無線ブロードバンドネットワークに用いられる容量計画方法。
【請求項２】
各ＵＥのサービスタイプに応じて前記各ＵＥのアクセス及びスケジューリングを行うことは、
前記各ＵＥのサービスタイプに応じて前記各ＵＥのサービスデータストリームをシミュレーションすることと、
予め割り当てられた信号対干渉雑音比ＳＩＮＲに応じて、前記各ＵＥに当該ＵＥのサービスデータストリームを伝送するための必要な資源を割り当てることと、
前記各ＵＥのサービス優先順位及び割り当てられた前記資源に応じてアクセスキュー中のＵＥをスケジューリングすることと、
を含むことを特徴とする請求項１に記載の無線ブロードバンドネットワークに用いられる容量計画方法。
【請求項３】
前記各ＵＥのサービスタイプに応じて前記各ＵＥのサービスデータストリームをシミュレーションすることは、
リアルタイムサービスに対して、各伝送時間間隔でランダムモードに応じて前記サービスタイプを伝送する時間間隔を確定し、ランダムモードに応じて前記時間間隔で伝送されたデータ量を確定することと、
非リアルタイムサービスに対して、各ＴＴＩでランダム分布に応じて伝送されたデータ量を確定することと、
を含むことを特徴とする請求項２に記載の無線ブロードバンドネットワークに用いられる容量計画方法。
【請求項４】
前記各ＵＥのサービス優先順位及び割り当てられた前記資源に応じてアクセスキュー中のＵＥをスケジューリングすることは、
前記アクセスキューにおける異なる優先順位にあるＵＥに対して、優先的に割り当てられた前記資源に応じて前記異なるサービス優先順位におけるサービス優先順位が高いＵＥをスケジューリングすることと、
前記アクセスキューにおける同じサービス優先順位である前記ＵＥに対して、ＵＥの履歴データ量及び割り当てられた前記資源に応じて前記ＵＥをスケジューリングし、その中、前記ＵＥの履歴データ量における履歴データ量が小さいＵＥを優先的にスケジューリングすることと、を含む
ことを特徴とする請求項２に記載の無線ブロードバンドネットワークに用いられる容量計画方法。
【請求項５】
予め割り当てられたＳＩＮＲに応じてＵＥに当該ＵＥのサービスデータストリームを伝送するための必要な資源を割り当てる前に、
予め設定されたセルラーモデルに応じて当該セルラーモデルでのサンプルＵＥの分布点を生成することと、
生成された前記分布点に基づいて前記各分布点に位置するサンプルＵＥのＳＩＮＲを確定することと、
確定された前記ＳＩＮＲから前記各ＵＥのためにＳＩＮＲを選択することと、をさらに含み、
生成された前記分布点に基づいて前記各分布点に位置するＵＥのＳＩＮＲを確定することは、
式Ｕ−ＳＩＮＲ＝Ｓ／Ｉ＋Ｎに応じて各分布点に位置するＳＩＮＲを確定し、
その中、上りＳＩＮＲに対して、Ｓがセルに受信された信号電力であり、Ｉがセルへの干渉であり、Ｎがセルの熱雑音であり、下りＳＩＮＲに対して、ＳがサンプルＵＥにより受信された信号電力であり、ＩがＵＥへの干渉であり、ＮがサンプルＵＥの熱雑音であることを含む
ことを特徴とする請求項２に記載の無線ブロードバンドネットワークに用いられる容量計画方法。
【請求項６】
予め設定されたセルラーモデルに応じて当該セルラーモデルでのサンプルＵＥの分布点を生成することは、
前記セルラーモデルを生成し、そして前記セルラーモデルの各セルの境界位置を確定することと、
前記セルの境界位置範囲に応じて前記各セルでのサンプルＵＥの分布点を生成することと、を含む
ことを特徴とする請求項５に記載の無線ブロードバンドネットワークに用いられる容量計画方法。
【請求項７】
サービス量が知られてネットワークサイトの規模を計画する必要がある場合、前記インデックス結果がネットワーク容量計画要求を満たすかどうかを判定することは、
現在のサイト間の距離に基づいて構築されたネットワークにおいて、前記各ＵＥのアクセス及びスケジューリングのインデックス結果がネットワーク容量計画要求を満たすかどうかを判定し、
そうであれば、現在のサイト間の距離がターゲットサイト間の距離であると確定し、そうでなければ、前記各ＵＥのアクセス及びスケジューリングのインデックス結果がネットワーク容量計画要求を満たすまで前記サイト間の距離を調整することを含む
ことを特徴とする請求項１に記載の無線ブロードバンドネットワークに用いられる容量計画方法。
【請求項８】
サイトの規模が知られてネットワークのサービス量を計画する必要がある場合、前記インデックス結果がネットワーク容量計画要求を満たすかどうかを判定することは、
現在のサービス量に構築されたネットワークにおいて、前記各ＵＥのアクセス及びスケジューリングのインデックス結果がネットワーク容量計画要求を満たすかどうかを判定し、
そうであれば、現在のサービス量がターゲットサービス量であると確定し、そうでなければ、前記各ＵＥのアクセス及びスケジューリングのインデックス結果がネットワーク容量計画要求を満たすまで前記サービス量を調整することを含む
ことを特徴とする請求項１に記載の無線ブロードバンドネットワークに用いられる容量計画方法。
【請求項９】
ネットワークのターゲット計画パラメータを確定した後、
前記ターゲット計画パラメータに基づいて構築されたネットワークにおいて、各ＵＥのサービスタイプに応じて前記各ＵＥのアクセス及びスケジューリングを行うことと、
前記各ＵＥのアクセス及びスケジューリングのインデックス結果を統計することと、をさらに含み、
前記インデックス結果は、セルトラフィック、セルエッジスペクトル効率、サービス満足度、サービスユーザ数のうちの少なくとも一つを含む
ことを特徴とする請求項１〜８のいずれかの１項に記載の無線ブロードバンドネットワークに用いられる容量計画方法。
【請求項１０】
現在の確定すべきネットワーク計画パラメータに基づいてネットワークを構築しようとする場合において、各ＵＥのサービスタイプに応じて前記各ＵＥのアクセス及びスケジューリングを行うように設置されるスケジューリングモジュールと、
前記各ＵＥのアクセス及びスケジューリングのインデックス結果を統計するように設置される統計モジュールと、
前記インデックス結果がネットワーク容量計画要求を満たすかどうかを判定し、そうであれば、現在のネットワーク計画パラメータがターゲット計画パラメータであると確定し、そうでなければ、前記ＵＥのアクセス及びスケジューリングのインデックス結果がネットワーク容量計画要求を満たすまで前記ネットワーク計画パラメータを調整するように設置される処理モジュールとを備える
ことを特徴とする無線ブロードバンドネットワークに用いられる容量計画装置。
【請求項１１】
前記スケジューリングモジュールは、前記各ＵＥのサービスタイプに応じて前記各ＵＥのサービスデータストリームをシミュレーションするように設置されるシミュレーションユニットと、
予め割り当てられたＳＩＮＲに応じて前記各ＵＥに当該ＵＥのサービスデータストリームを伝送するための必要な資源を割り当てるように設置される割り当てユニットと、
前記各ＵＥのサービス優先順位及び割り当てられた前記資源に応じてアクセスキュー中のＵＥをスケジューリングするように設置されるスケジューリングユニットと、を含む
ことを特徴とする請求項１０に記載の無線ブロードバンドネットワークに用いられる容量計画装置。
【請求項１２】
前記シミュレーションユニットは、
リアルタイムサービスに対して、各伝送時間間隔でランダムモードに応じて前記サービスタイプを伝送する時間間隔を確定し、ランダムモードに応じて前記時間間隔で伝送されたデータ量を確定し、
非リアルタイムサービスに対して、各ＴＴＩでランダム分布に応じて伝送されたデータ量を確定することのような方式に応じて前記各ＵＥのサービスデータストリームをシミュレーションするように設置される
ことを特徴とする請求項１１に記載の無線ブロードバンドネットワークに用いられる容量計画装置。
【請求項１３】
前記スケジューリングユニットは、
前記アクセスキューにおける異なるサービス優先順位にあるＵＥに対して、優先的に割り当てられた前記資源に応じて前記異なるサービス優先順位における優先順位が高いＵＥをスケジューリングし、
前記アクセスキューにおける同じサービス優先順位にある前記ＵＥに対して、ＵＥの履歴データ量及び割り当てられた前記資源に応じて前記ＵＥをスケジューリングし、その中、優先的に前記ＵＥの履歴データ量における履歴データ量が小さいＵＥをスケジューリングするような方式に応じてアクセスキュー中のＵＥをスケジューリングするように設置される
ことを特徴とする請求項１１に記載の無線ブロードバンドネットワークに用いられる容量計画装置。
【請求項１４】
前記スケジューリングモジュールは、
予め設定されたセルラーモデルに応じて当該セルラーモデルでのサンプルＵＥの分布点を生成するように設置される生成ユニットと、
生成された前記分布点に基づいて前記各分布点に位置するサンプルＵＥのＳＩＮＲを確定するように設置される確定ユニットと、
確定された前記ＳＩＮＲから前記各ＵＥのためにＳＩＮＲを選択するように設置される選択ユニットと、をさらに含む
ことを特徴とする請求項１１に記載の無線ブロードバンドネットワークに用いられる容量計画装置。
【請求項１５】
前記処理モジュールは、サービス量が知られてネットワークサイトの規模を計画する必要がある場合、現在のサイト間の距離に基づいて構築されたネットワークにおいて、前記各ＵＥのアクセス及びスケジューリングのインデックス結果がネットワーク容量計画要求を満たすかどうかを判定し、そうであれば、現在のサイト間の距離がターゲットサイト間の距離であると確定し、そうでなければ、前記各ＵＥのアクセス及びスケジューリングのインデックス結果がネットワーク容量計画要求を満たすまで前記サイト間の距離を調整するように設置され、
前記処理モジュールは、サイトの規模が知られてネットワークのサービス量を計画する必要がある場合、現在のサービス量に構築されたネットワークにおいて、前記各ＵＥのアクセス及びスケジューリングのインデックス結果がネットワーク容量計画要求を満たすかどうかを判定し、そうであれば、現在のサービス量がターゲットサービス量であると確定し、そうでなければ、前記各ＵＥのアクセス及びスケジューリングのインデックス結果がネットワーク容量計画要求を満たすまで前記サービス量を調整するように設置され、
前記インデックス結果は、セルトラフィック、セルエッジスペクトル効率、サービス満足度、サービスユーザ数のうちの少なくとも一つを含む
ことを特徴とする請求項１０に記載の無線ブロードバンドネットワークに用いられる容量計画装置。
【発明の詳細な説明】
【技術分野】
【０００１】
本発明は、通信分野に関し、特に無線ブロードバンドネットワークに用いられる容量計画方法及び装置に関する。
【背景技術】
【０００２】
容量計画の目的の一つは、通信可能範囲内の対応可能なユーザ数、即ちシステム容量又は通信可能ユーザの数を得ることである。
【０００３】
従来モードにおける容量計画方法は、比較的に簡単であり、特定のシーンにおける全般的なシステム容量とユーザレートとの比例関係によってシステム容量を得て、その後トラフィックモデルにより通信可能ユーザを得る。しかしながら、当該方式で容量計画を行ってユーザ規模を得ると、計画設計の結果は、一定の制限がある。
【０００４】
従来方式において、まず、ネットワーク運用特徴と繋がらなく、静的な簡単推定だけであり、入力パラメータに基づいて今回の結果を得て、最適解ではなく、次に、マルチサービスに関する容量推定が大まかな容量の重ね合わせだけであり、実際のサービス特徴を考慮しなく、最後、従来の容量計画方式において異なるシーンによってインテグラル推定を行うことができなく、また、ネットワーク運用の効果を反映することができない。
【０００５】
従来技術においてネットワーク容量計画を行うことができない問題に対して、現在、まだ効果的な解決策を提案されていない。
【発明の概要】
【発明が解決しようとする課題】
【０００６】
ネットワーク容量計画を正確に行うことができない問題に対して、本発明の実施例は、少なくとも上記問題を解決するように、無線ブロードバンドネットワークに用いられる容量計画方法及び装置を提供する。
【課題を解決するための手段】
【０００７】
本発明の実施例の一態様による無線ブロードバンドネットワークに用いられる容量計画方法は、現在の確定すべきネットワーク計画パラメータに基づいてネットワークを構築しようとする場合において、各ユーザ装置（ＵＥ：Ｕｓｅｒ  Ｅｑｕｉｐｍｅｎｔ）のサービスタイプに応じて前記各ＵＥのアクセス及びスケジューリングを行うことと、前記各ＵＥのアクセス及びスケジューリングのインデックス結果を統計することと、前記インデックス結果がネットワーク容量計画要求を満たすかどうかを判定し、そうであれば、現在のネットワーク計画パラメータがターゲット計画パラメータであると確定し、そうでなければ、前記各ＵＥのアクセス及びスケジューリングのインデックス結果がネットワーク容量計画要求を満たすまで前記ネットワーク計画パラメータを調整することと、を含む。
【０００８】
好ましくは、各ＵＥのサービスタイプに応じて前記各ＵＥのアクセス及びスケジューリングを行うことは、前記各ＵＥのサービスタイプに応じて前記各ＵＥのサービスデータストリームをシミュレーションすることと、予め割り当てられた信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）に応じて、前記各ＵＥに当該ＵＥのサービスデータストリームを伝送するための必要な資源を割り当てることと、前記各ＵＥのサービス優先順位及び割り当てられた前記資源に応じてアクセスキュー中のＵＥをスケジューリングすることと、を含む。
【０００９】
好ましくは、前記各ＵＥのサービスタイプに応じて前記各ＵＥのサービスデータストリームをシミュレーションすることは、リアルタイムサービスに対して、各伝送時間間隔（ＴＴＩ：Ｔｒａｎｓｍｉｓｓｉｏｎ  Ｔｉｍｅ  Ｉｎｔｅｒｖａｌ）でランダムモードに応じて前記サービスタイプを伝送する時間間隔を確定し、ランダムモードに応じて前記時間間隔で伝送されたデータ量を確定することと、非リアルタイムサービスに対して、各ＴＴＩでランダム分布に応じて伝送されたデータ量を確定することと、を含む。
【００１０】
好ましくは、前記各ＵＥのサービス優先順位及び割り当てられた前記資源に応じてアクセスキュー中のＵＥをスケジューリングすることは、前記アクセスキューにおける異なるサービス優先順位にある前記ＵＥに対して、優先的に割り当てられた前記資源に応じて前記異なるサービス優先順位におけるサービス優先順位が高いＵＥをスケジューリングすることと、前記アクセスキューにおける同じサービス優先順位にある前記ＵＥに対して、ＵＥの履歴データ量及び割り当てられた前記資源に応じて前記ＵＥをスケジューリングし、その中、優先的に前記ＵＥの履歴データ量における履歴データ量が小さいＵＥをスケジューリングすることと、を含む。
【００１１】
好ましくは、予め割り当てられたＳＩＮＲに応じてＵＥに当該ＵＥのサービスデータストリームを伝送するための必要な資源を割り当てる前に、予め設定されたセルラーモデルに応じて当該セルラーモデルでのサンプルＵＥの分布点を生成することと、生成された前記分布点に基づいて前記各分布点に位置するサンプルＵＥのＳＩＮＲを確定することと、確定された前記ＳＩＮＲから前記各ＵＥのためにＳＩＮＲを選択することと、をさらに含む。
【００１２】
好ましくは、予め設定されたセルラーモデルに応じて当該セルラーモデルでのサンプルＵＥの分布点を生成することは、前記セルラーモデルを生成することと、そして前記セルラーモデルの各セルの境界位置を確定することと、前記セルの境界位置範囲に応じて前記各セルでのサンプルＵＥの分布点を生成することと、を含む。
【００１３】
好ましくは、生成された前記分布点に基づいて前記各分布点に位置するＵＥのＳＩＮＲを確定することは、下記式Ｕ−ＳＩＮＲ＝Ｓ／Ｉ＋Ｎに応じて各分布点に位置するサンプルＵＥのＳＩＮＲを確定し、その中、上りＳＩＮＲに対して、Ｓがセルに受信された信号電力であり、Ｉがセルへの干渉であり、Ｎがセルの熱雑音であることと、下りＳＩＮＲに対して、ＳがサンプルＵＥにより受信された信号電力であり、ＩがＵＥへの干渉であり、ＮがサンプルＵＥの熱雑音であることを含む。
【００１４】
好ましくは、前記ネットワーク計画パラメータは、サービス量が知られた場合のサイト間の距離、サイトの規模が知られた場合のサービス量のいずれかの一つを含む。
【００１５】
好ましくは、サービス量が知られてネットワークサイトの規模を計画する必要がある場合、前記インデックス結果がネットワーク容量計画要求を満たすかどうかを判定することは、現在のサイト間の距離に基づいて構築されたネットワークにおいて、前記各ＵＥのアクセス及びスケジューリングのインデックス結果がネットワーク容量計画要求を満たすかどうかを判定し、そうであれば、現在のサイト間の距離がターゲットサイト間の距離であると確定し、そうでなければ、前記各ＵＥのアクセス及びスケジューリングのインデックス結果がネットワーク容量計画要求を満たすまで前記サイト間の距離を調整することを含む。
【００１６】
好ましくは、サイトの規模が知られてネットワークのサービス量を計画する必要がある場合、前記インデックス結果がネットワーク容量計画要求を満たすかどうかを判定することは、現在のサービス量に基づいて構築されたネットワークにおいて、前記各ＵＥのアクセス及びスケジューリングのインデックス結果がネットワーク容量計画要求を満たすかどうかを判定し、そうであれば、現在のサービス量がターゲットサービス量であると確定し、そうでなければ、前記各ＵＥのアクセス及びスケジューリングのインデックス結果がネットワーク容量計画要求を満たすまで前記サービス量を調整することを含む。
【００１７】
好ましくは、ネットワークのターゲット計画パラメータを確定した後、前記ターゲット計画パラメータに基づいて構築されたネットワークにおいて、各ＵＥのサービスタイプに応じて前記各ＵＥのアクセス及びスケジューリングを行うことと、前記各ＵＥのアクセス及びスケジューリングのインデックス結果を統計することと、をさらに含む。
【００１８】
好ましくは、前記インデックス結果は、セルトラフィック、セルエッジスペクトル効率、サービス満足度、サービスユーザ数のうちの少なくとも一つを含む。
【００１９】
本発明の実施例の別の態様によって、無線ブロードバンドネットワークに用いられる容量計画装置を提供して、現在の確定すべきネットワーク計画パラメータに基づいてネットワークを構築しようとする場合において、各ＵＥのサービスタイプに応じて前記各ＵＥのアクセス及びスケジューリングを行うように設置されるスケジューリングモジュールと、前記各ＵＥのアクセス及びスケジューリングのインデックス結果を統計するように設置される統計モジュールと、前記インデックス結果がネットワーク容量計画要求を満たすかどうかを判定し、そうであれば、現在のネットワーク計画パラメータがターゲット計画パラメータであると確定し、そうでなければ、前記ＵＥのアクセス及びスケジューリングのインデックス結果がネットワーク容量計画要求を満たすまで前記ネットワーク計画パラメータを調整するように設置される処理モジュールとを含める。
【００２０】
好ましくは、前記スケジューリングモジュールは、前記各ＵＥのサービスタイプに応じて前記各ＵＥのサービスデータストリームをシミュレーションするように設置されるシミュレーションユニットと、予め割り当てられたＳＩＮＲに応じて前記各ＵＥに当該ＵＥのサービスデータストリームを伝送するための必要な資源を割り当てるように設置される割り当てユニットと、前記各ＵＥのサービス優先順位及び割り当てられた前記資源に応じてアクセスキュー中のＵＥをスケジューリングするように設置されるスケジューリングユニットとを含む。
【００２１】
好ましくは、前記シミュレーションユニットは、リアルタイムサービスに対して、各伝送時間間隔でランダムモードに応じて前記サービスタイプを伝送する時間間隔を確定し、ランダムモードに応じて前記時間間隔で伝送されたデータ量を確定し、非リアルタイムサービスに対して、各ＴＴＩでランダム分布に応じて伝送されたデータ量を確定するような方式に応じて前記各ＵＥのサービスデータストリームをシミュレーションするように設置される。
【００２２】
好ましくは、前記スケジューリングユニットは、前記アクセスキューにおける異なるサービス優先順位にあるＵＥに対して、優先的に割り当てられた前記資源に応じて前記異なるサービス優先順位における優先順位が高いＵＥをスケジューリングし、前記アクセスキューにおける同じサービス優先順位にある前記ＵＥに対して、ＵＥの履歴データ量及び割り当てられた前記資源に応じて前記ＵＥをスケジューリングし、その中、優先的に前記ＵＥの履歴データ量における履歴データ量が小さいＵＥをスケジューリングするような方式に応じてアクセスキュー中のＵＥをスケジューリングするように設置される。
【００２３】
好ましくは、前記スケジューリングモジュールは、予め設定されたセルラーモデルに応じて当該セルラーモデルでのサンプルＵＥの分布点を生成するように設置される生成ユニットと、生成された前記分布点に基づいて前記各分布点に位置するサンプルＵＥのＳＩＮＲを確定するように設置される判定ユニットと、確定された前記ＳＩＮＲから前記各ＵＥのためにＳＩＮＲを選択するように設置される選択ユニットと、をさらに含む。
【００２４】
好ましくは、前記ネットワーク計画パラメータは、サービス量が知られた場合のサイト間の距離、サイトの規模が知られた場合のサービス量のいずれかの一つを含む。
【００２５】
好ましくは、前記処理モジュールは、サービス量が知られてネットワークサイトの規模を計画する必要がある場合、現在のサイト間の距離に基づいて構築されたネットワークにおいて、前記各ＵＥのアクセス及びスケジューリングのインデックス結果がネットワーク容量計画要求を満たすかどうかを判定し、そうであれば、現在のサイト間の距離がターゲットサイト間の距離であると確定し、そうでなければ、前記各ＵＥのアクセス及びスケジューリングのインデックス結果がネットワーク容量計画要求を満たすまで前記サイト間の距離を調整するように設置される。
【００２６】
好ましくは、前記処理モジュールは、サイトの規模が知られてネットワークのサービス量を計画する必要がある場合、現在のサービス量に基づいて構築されたネットワークにおいて、前記各ＵＥのアクセス及びスケジューリングのインデックス結果がネットワーク容量計画要求を満たすかどうかを判定し、そうであれば、現在のサービス量がターゲットサービス量であると確定し、そうでなければ、前記各ＵＥのアクセス及びスケジューリングのインデックス結果がネットワーク容量計画要求を満たすまで前記サービス量を調整するように設置される。
【００２７】
好ましくは、前記インデックス結果は、セルトラフィック、セルエッジスペクトル効率、サービス満足度、サービスユーザ数のうちの少なくとも一つを含む。
【００２８】
本発明の実施形態により、現在の確定すべきネットワーク計画パラメータに基づいてネットワークを構築しようとする場合において、各ＵＥのサービスタイプに応じて各ＵＥのアクセス及びスケジューリングを行い、各ＵＥのアクセス及びスケジューリングのインデックス結果を統計し、そして前記インデックス結果がネットワーク容量計画要求を満たすかどうかを判定し、そうであれば、現在のネットワーク計画パラメータがターゲット計画パラメータであると確定し、そうでなければ、各ＵＥのアクセス及びスケジューリングのインデックス結果がネットワーク容量計画要求を満たすまでネットワーク計画パラメータを調整する。サービス特徴に応じてマルチサービスのネットワーク容量を計画することを実現し、ネットワーク容量計画の精度を向上させる。
【図面の簡単な説明】
【００２９】
【図１】図１は、本発明の実施例による無線ブロードバンドネットワークに用いられる容量計画方法のフローチャートである。
【図２】図２は、本発明の実施例による無線ブロードバンドネットワークに用いられる容量計画装置の構成ブロック図である。
【図３】図３は、本発明の実施例による好ましいスケジューリングモジュールの構成ブロック図である。
【図４】図４は、本発明の実施例による別の好ましいスケジューリングモジュールの構成ブロック図である。
【図５】図５は、本発明の実施形態一による無線ブロードバンドネットワークに用いられる容量計画方法のフローチャートである。
【図６】図６は、本発明の実施例二によるＵＥのスケジューリング方法のフローチャートである。
【発明を実施するための形態】
【００３０】
以下、図面を参照しながら実施形態と組み合わせて本発明を詳しく説明する。衝突しない場合、本出願における実施例及び実施例の特徴は、互いに組み合わせられることができると説明すべきである。
【００３１】
本発明の実施形態によるネットワーク計画パラメータ判定方法は、正確にネットワーク容量計画を行うことを実現する。
【００３２】
図１は本発明の実施例による無線ブロードバンドネットワークに用いられる容量計画方法のフローチャートである。図１に示すように、当該方法は、主にステップＳ１０２〜ステップＳ１０６を含む。
【００３３】
ステップＳ１０２、現在の確定すべきネットワーク計画パラメータに基づいてネットワークを構築しようとする場合において、各ＵＥのサービスタイプに応じて各ＵＥのアクセス及びスケジューリングを行う。
【００３４】
ステップＳ１０４、各ＵＥのアクセス及びスケジューリングのインデックス結果を統計する。
【００３５】
Ｓ１０６、前記インデックス結果がネットワーク容量計画要求を満たすかどうかを判定し、そうであれば、現在のネットワーク計画パラメータがターゲットパラメータであると確定し、そうでなければ、各ＵＥのアクセス及びスケジューリングのインデックス結果がネットワーク容量計画要求を満たすまでネットワーク計画パラメータを調整する。
【００３６】
本発明の実施例により、現在の確定すべきネットワーク計画パラメータに基づいてネットワークを構築しようとする場合において、各ＵＥのサービスタイプに応じて各ＵＥのアクセス及びスケジューリングを行い、各ＵＥのアクセス及びスケジューリングのインデックス結果を統計し、そして前記インデックス結果がネットワーク容量計画要求を満たすかどうかを判定し、そうであれば、現在のネットワーク計画パラメータがターゲット計画パラメータであると確定し、そうでなければ、各ＵＥのアクセス及びスケジューリングのインデックス結果がネットワーク容量計画要求を満たすまでネットワーク計画パラメータを調整する。サービス特徴に応じてマルチサービスのネットワーク容量を計画することを実現し、ネットワーク容量計画の精度を向上させる。
【００３７】
異なるサービスタイプの遅延、レートに対する要求が異なるので、サービス特徴によってＴＴＩで各ＵＥのサービスデータストリームをシミュレーションし、そして各ＵＥのサービス優先順位に応じて各ＵＥをスケジューリングすることができる。本発明の実施例の一つの好ましい実施形態において、各ＵＥのサービスタイプに応じて各ＵＥのアクセス及びスケジューリングを行う場合、各ＵＥのサービスタイプに応じて各ＵＥのサービスデータストリームをシミュレーションし、予め割り当てられたＳＩＮＲに応じて、各ＵＥに当該ＵＥのサービスデータストリームを伝送するための必要な資源を割り当て、そして各ＵＥのサービスの優先順位及び割り当てられた資源に応じてアクセスキュー中のＵＥをスケジューリングすることができる。
【００３８】
さらに、異なるサービスタイプのサービスデータストリームのシミュレーションモードが異なり、遅延要求が高い会話類サービス、例えば、音声電話、テレビ電話などに対して、このようなサービスのレートが安定し、単位時間当たりに生成されたデータパケットの個数が安定する。遅延要求が低いストリームサービス、例えば、ウェブブラウジングなどに対して、このようなサービスのレートは、一定の範囲内で変動し、遅延に対する要求が低い。本発明の実施例の一つの好ましい実施形態において、各ＵＥのサービスタイプに応じて各ＵＥのサービスデータストリームをシミュレーションする場合、リアルタイムサービスに対して、各ＴＴＩでランダムモードに応じて当該サービスタイプを伝送する時間間隔を確定し、ランダムモードに応じて確定された時間間隔で伝送されたデータ量を確定し、非リアルタイムサービスに対して、各ＴＴＩでランダム分布に応じて伝送されたデータ量を確定する。例えば、サービスタイプを判定し、ストリームサービスであれば、各ＴＴＩでランダム分布に応じて条件に該当するデータ量を生成し、会話類サービスであれば、ランダムモードに応じて当該サービスタイプのサービスデータを伝送するための間隔時間、及び間隔時間点に伝送されたデータ量を生成する。
【００３９】
各ＵＥに対して、各ＴＴＩでデータパケットが生成された場合、当該ＵＥがアクセスキューに入ってスケジューリングを待つ。１つのアクセスキューに様々な優先順位のサービスを有するＵＥに対して、サービス優先順位が高いＵＥが先にスケジューリングされることを保証するべきであり、ＵＥのサービス優先順位が同じである場合、履歴トラフィックの逆数に応じてソートし、履歴トラフィックが低いほど、スケジューリング優先順位が高い。本発明の実施例の一つの好ましい実施形態において、各ＵＥのサービス優先順位及び割り当てられた資源に応じてアクセスキュー中のＵＥをスケジューリングする場合、アクセスキューにおける異なるサービス優先順位にあるＵＥに対して、優先的に割り当てられた資源に応じてサービス優先順位の高いＵＥをスケジューリングし、アクセスキューにおける同じサービス優先順位にあるＵＥに対して、ＵＥの履歴データ量及び割り当てられた資源に応じてＵＥをスケジューリングし、その中、履歴データ量が小さいＵＥを優先的にスケジューリングする。この好ましい実施形態により、スケジューリングされたＵＥが予め割り当てられたＳＩＮＲに応じて割り当てられ、そしてＵＥのサービス優先順位に応じてスケジューリングし、それによってサービス優先順位の高いＵＥが優先的にスケジューリングされることを保証し、スケジューリングの公平性を反映している。
【００４０】
実際の応用において、ＵＥのＳＩＮＲは、実際のネットワークのデータから収集されることができ、シミュレーションにより取得されることもできる。本発明の実施例の一つの好ましい実施形態において、予め割り当てられたＳＩＮＲに応じて、ＵＥに当該ＵＥのサービスデータストリームを伝送するための必要な資源を割り当てる前に、シミュレーションにより各ＵＥのＳＩＮＲを取得することができる。具体的には、予め設定されたセルラーモデルに応じて当該セルラーモデルにおけるサンプルＵＥの分布点を生成し、生成された分布点に基づいて各分布点に位置するサンプルＵＥのＳＩＮＲを確定し、確定されたＳＩＮＲから各ＵＥにＳＩＮＲを割り当てる。さらに、予め設定されたセルラーモデルに応じて当該セルラーモデルでのサンプルＵＥの分布点を生成する場合、前記セルラーモデルを生成し、そして当該セルラーモデルの各セルの境界位置を確定することができ、各セルの境界位置範囲に応じて各セルでのサンプルＵＥの分布点をランダムに生成する。
【００４１】
好ましくは、セルラーモデルにおけるサンプルＵＥが多ければ多いほど、確定されたＳＩＮＲがより正確になり、即ちサンプリングポイントが多ければ多いほど、その最後の結果がより正確になる。且つ、複数のＳＩＮＲに基づいてＳＩＮＲ確率分布曲線を生成することができる。ネットワークにアクセスするＵＥのためにＳＩＮＲを選択する場合、確定されたＳＩＮＲからランダムに選択することができる。具体的には、ＳＩＮＲサンプル値は、その確率分布に応じて全ての呼び出しユーザに割り当てられることができ、例えば、ＳＩＮＲの確率分布曲線（ＣＤＦ）の縦座標はいずれも離散した点として平均に値が取られ、それをＳＩＮＲに対応させて同時呼び出しユーザに割り当てる。例えば、ＳＩＮＲが割り当てられる呼び出しユーザは、１０個であり、ＳＩＮＲサンプル値は、１００個の点があり、１００個あたりの点の間隔で値を取って、呼び出しユーザに割り当てられる。この割り当てられたＳＩＮＲ値は、シミュレーションにおける呼び出しユーザの実際のＳＩＮＲ値である。
【００４２】
本発明の実施例の一つの好ましい実施形態において、生成された分布点に基づいて各分布点に位置するＵＥのＳＩＮＲを確定する場合、式Ｕ−ＳＩＮＲ＝Ｓ／Ｉ＋Ｎに応じて各サンプルＵＥのＳＩＮＲを判定することができ、その中、上りＳＩＮＲに対して、Ｓがセルに受信された信号電力であり、Ｉがセルへの干渉であり、Ｎがセルの熱雑音であり、下りＳＩＮＲに対して、ＳがサンプルＵＥにより受信された信号電力であり、ＩがＵＥへの干渉であり、ＮがサンプルＵＥの熱雑音である。
【００４３】
本発明の実施例において、ネットワーク容量計画は、１）ネットワークサイトの規模が知られた場合、ネットワークのサービス量、即ちユーザ数を計画すること、２）ネットワークのサービス量が知られた場合、ネットワークサイトの規模を計画し、確定されたネットワーク計画エリアに、サイトの規模即ちサイト間の距離を計画すること、３）ネットワークサイトの規模とサービス量がいずれも知られた場合、ネットワークの様々インデックスを統計することという３つのシーンを含む。本発明の実施例において、前記ネットワーク計画パラメータは、サービス量が知られた場合のサイト間の距離、サイトの規模が知られた場合のサービス量の一つを少なくとも含む。以下、それぞれ前記３つのシーンの好ましい実施形態を説明する。
【００４４】
サービス量が知られてネットワークサイトの規模を計画する必要がある場合、各ＵＥのアクセス及びスケジューリングのインデックス結果がネットワーク容量計画要求を満たすかどうかを判定する時に、現在のサイト間の距離に基づいて構築されたネットワークにおいて、各ＵＥのアクセス及びスケジューリングのインデックス結果がネットワーク容量計画要求を満たすかどうかを判定することができ、そうであれば、現在のサイト間の距離がターゲットサイト間の距離であると確定し、そうでなければ、各ＵＥのアクセス及びスケジューリングのインデックス結果がネットワーク容量計画要求を満たすまでサイト間の距離を調整する。
【００４５】
例えば、計画すべきエリア面積が知られてサイトの規模を計画する場合、異なるサイト間の距離に応じてネットワークのインデックスを検証し、異なるサイト間の距離でＵＥのアクセス及びスケジューリングをシミュレートし、ＵＥのアクセス及びスケジューリングのインデックス結果、例えば、呼び出し損失、遮断率などを統計し、現在のサイト間の距離がネットワーク容量計画要求を満たさない場合、ネットワーク容量計画要求を満たすまでサイト間の距離を調整することができる。例えば、サイト間の距離を調整した後、ネットワークのカバー率が設定値よりも大きいと、この場合のサイト間の距離は、ネットワーク計画のために使用されるサイト間の距離、即ちターゲットサイト間の距離とすることができ、それによってサイトの規模に対する計画を完了する。
【００４６】
サイトの規模が知られてネットワークのサービス量を計画する必要がある場合、各ＵＥのアクセス及びスケジューリングのインデックス結果がネットワーク容量計画要求を満たすかどうかを判定する時に、現在のサービス量に基づいて構築されたネットワークにおいて、各ＵＥのアクセス及びスケジューリングのインデックス結果がネットワーク容量計画要求を満たすかどうかを判定することができ、そうであれば、現在のサービス量がターゲットサービス量であると確定し、そうでなければ、各ＵＥのアクセス及びスケジューリングのインデックス結果がネットワーク容量計画要求を満たすまでサービス量を調整する。
【００４７】
例えば、既知のネットワークにおいて、当該ネットワークが対応できるユーザ数を判定し、入力されたユーザ数において、ネットワークのインデックスが予め設定された条件を満たすかどうかを判定し、例えば、当該ユーザ数において、ユーザアクセスの成功率が設計された成功率より大きいかどうかを判定することができ、そうであれば、当該ユーザ数をネットワークのユーザ数とすることができ、そうでなければ、ターゲット設計インデックスを満たすまでユーザ数を調整することができる。
【００４８】
ネットワークのターゲットランニングパラメータを確定した後、ターゲットランニングパラメータに基づいて構築されたネットワークにおいて、各ＵＥのサービスタイプに応じて各ＵＥのアクセス及びスケジューリングを行い、そして各ＵＥのアクセス及びスケジューリングのインデックス結果を統計することができる。統計されたインデックス結果に基づいてネットワークの性能を評価する。
【００４９】
本発明の実施例において、インデックス結果は、セルトラフィック、セルエッジスペクトル効率、サービス満足度、サービスユーザ数の少なくとも一つを含むが、これに限られない。例えば、ＵＥアクセスの成功率がスケジューリングターゲット成功率を満たすかどうかを判定することができる。
【００５０】
本発明の実施例において、前記無線ブロードバンドネットワークに用いられる容量計画方法に対応して、無線ブロードバンドネットワークに用いられる容量計画装置を提供する。
【００５１】
図２は本発明の実施例による無線ブロードバンドネットワークに用いられる容量計画装置の構成ブロック図である。図２に示すように、当該装置は、主にスケジューリングモジュール１０、統計モジュール２０と処理モジュール３０とを備える。スケジューリングモジュール１０は、現在の確定すべきネットワーク計画パラメータに基づいてネットワークを構築しようとする場合において、各ＵＥ装置のサービスタイプに応じて各ＵＥのアクセス及びスケジューリングを行うように設置される。統計モジュール２０は、スケジューリングモジュール１０に結合され、各ＵＥのアクセス及びスケジューリングのインデックス結果を統計するように設置される。処理モジュール３０は、統計モジュール２０に結合され、前記インデックス結果がネットワーク容量計画要求を満たすかどうかを判定し、そうであれば、現在のネットワーク計画パラメータがターゲット計画パラメータであると確定し、そうでなければ、各ＵＥのアクセス及びスケジューリングのインデックス結果がネットワーク容量計画要求を満たすまでネットワーク計画パラメータを調整するように設置される。
【００５２】
本発明の実施例により、スケジューリング１０は、現在の確定すべきネットワーク計画パラメータに基づいてネットワークを構築しようとする場合において、各ＵＥのサービスタイプに応じて各ＵＥのアクセス及びスケジューリングを行い、統計モジュール２０は、各ＵＥのアクセス及びスケジューリングのインデックス結果を統計し、そして処理モジュール３０により前記インデックス結果がネットワーク容量計画要求を満たすかどうかを判定し、そうであれば、現在のネットワーク計画パラメータがターゲット計画パラメータであると確定し、そうでなければ、各ＵＥのアクセスおよびスケジューリングのインデックス結果がネットワーク容量計画要求を満たすまでネットワーク計画パラメータを調整する。サービス特徴によってマルチサービスのネットワーク容量を計画することを実現し、ネットワーク容量計画の精度を向上させる。
【００５３】
異なるサービスタイプの遅延、レートに対する要求が異なるので、サービス特徴によってＴＴＩで各ＵＥのサービスデータストリームをシミュレーションし、そして各ＵＥのサービス優先順位に応じて各ＵＥをスケジューリングすることができる。各ＵＥのサービスタイプに応じて各ＵＥのアクセス及びスケジューリングを行う場合、各ＵＥのサービスタイプに応じて各ＵＥのサービスデータストリームをシミュレーションし、予め割り当てられたＳＩＮＲに応じて、各ＵＥに当該ＵＥのサービスデータストリームを伝送するための必要な資源を割り当て、そして各ＵＥのサービス優先順位及び割り当てられた資源に応じてアクセスキュー中のＵＥをスケジューリングすることができる。したがって、本発明の実施例の一つの好ましい実施形態において、図３に示すように、スケジューリングモジュール１０は、各ＵＥのサービスタイプに応じて各ＵＥのサービスデータストリームをシミュレーションするように設置されるシミュレーションユニット１０２と、シミュレーションユニット１０２に結合され、予め割り当てられたＳＩＮＲに応じて、各ＵＥが当該ＵＥのサービスストリームを伝送するための必要な資源を割り当てるように設置される割り当てユニット１０４と、割り当てユニット１０４に結合され、各ＵＥのサービス優先順位及び割り当てられた資源に応じてアクセスキュー中のＵＥをスケジューリングするように設置されるスケジューリングユニット１０６と、を含むことができる。
【００５４】
さらに、異なるサービスタイプのサービスデータストリームのシミュレーションモードが異なり、遅延要求が高い会話類サービス、例えば、音声電話、テレビ電話などに対して、このようなサービスのレートが安定し、単位時間当たりに生成されたデータパケットの個数が安定する。遅延要求が低いストリームサービス、例えば、ウェブブラウジングなどに対して、このようなサービスのレートは、一定の範囲内で変動し、遅延に対する要求が低い。本発明の実施例の一つの好ましい実施形態において、シミュレーションユニット１０２は、リアルタイムサービスに対して、各ＴＴＩでランダムモードに応じて当該サービスタイプを伝送する時間間隔を確定し、ランダムモードに応じて確定された時間間隔で伝送されたデータ量を確定し、非リアルタイムサービスに対して、各ＴＴＩでランダム分布に応じて伝送されたデータ量を確定するような方式に応じて各ＵＥのサービスデータストリームをシミュレーションするように設置されることができる。
【００５５】
各ＵＥに対して、各ＴＴＩでデータパケットが生成された場合、当該ＵＥがアクセスキューに入ってスケジューリングを待つ。１つのアクセスキューにおける様々な優先順位のサービスを有するＵＥに対して、サービス優先順位が高いＵＥが先にスケジューリングされることを保証するべきであり、ＵＥのサービス優先順位が同じである場合、履歴トラフィックの逆数に応じてソートすることができ、履歴トラフィックが低いほど、スケジューリング優先順位が高い。したがって、本発明の実施例の一つの好ましい実施形態において、スケジューリングユニット１０６は、アクセスキューにおける異なるサービス優先順位にあるＵＥに対して、優先的に割り当てられた資源に応じて前記異なるサービス優先順位の高いＵＥをスケジューリングし、アクセスキューにおける同じサービス優先順位にあるＵＥに対して、ＵＥの履歴データ量及び割り当てられた資源に応じてＵＥをスケジューリングし、その中、前記ＵＥの履歴データ量における履歴データ量が小さいＵＥを優先的にスケジューリングするような方式に応じてクセスキュー中のＵＥをスケジューリングするように設置されることができる。
【００５６】
実際の応用において、ＵＥのＳＩＮＲは、実際のネットワークのデータから収集されることができ、シミュレーションにより取得されることもできる。本発明の実施例の一つの好ましい実施形態において、予め割り当てられたＳＩＮＲに応じてＵＥに当該ＵＥのサービスデータストリームを伝送するための必要な資源を割り当てる前に、シミュレーションにより各ＵＥのＳＩＮＲを取得することができる。したがって、図４に示すスケジューリングモジュールでは、当該モジュールは、予め設定されたセルラーモデルに応じて当該セルラーモデルでのサンプルＵＥの分布点を生成するように設置される生成ユニット１０８と、生成ユニット１０８に結合され、生成された分布点に基づいて各分布点に位置するサンプルＵＥのＳＩＮＲを確定するように設置される確定ユニット１１０と、確定ユニット１１０に結合され、確定されたＳＩＮＲから各ＵＥのためにＳＩＮＲを選択するように設置される選択ユニット１１２と、を含むことができる。
【００５７】
さらに、判定ユニット１１０は、生成された分布点に基づいて各分布点に位置するＵＥのＳＩＮＲを確定する場合、Ｕ−ＳＩＮＲ＝Ｓ／Ｉ＋Ｎに応じて各サンプルＵＥのＳＩＮＲを判定することができ、その中、上りＳＩＮＲに対して、Ｓがセルに受信された信号電力であり、Ｉがセルへの干渉であり、Ｎがセルの熱雑音であり、下りＳＩＮＲに対して、ＳがサンプルＵＥにより受信された信号電力であり、ＩがＵＥへの干渉であり、ＮがサンプルＵＥの熱雑音である。
【００５８】
本発明の実施例において、ネットワーク容量計画は、１）ネットワークサイトの規模が知られた場合、ネットワークのサービス量、即ちユーザ数を計画すること、２）ネットワークのサービス量が知られた場合、ネットワークサイトの規模を計画し、確定されたネットワーク計画エリアに、サイトの規模即ちサイト間の距離を計画すること、３）ネットワークサイトの規模とサービス量がいずれも知られた場合、ネットワークの様々インデックスを統計することという３つのシーンを含む。本発明の実施例において、前記ネットワーク計画パラメータは、サービス量が知られた場合のサイト間の距離、サイトの規模が知られた場合のサービス量の一つを少なくとも含むが、これに限られない。例えば、ＵＥアクセスの成功率がスケジューリングターゲット成功率を満たすかどうかを判定することができる。
【００５９】
以下、それぞれ前記３つのシーンの好ましい実施形態を説明する。
１）処理モジュール３０は、サービス量が知られてネットワークサイトの規模を計画する必要がある場合、各ＵＥのアクセス及びスケジューリングのインデックス結果がネットワーク容量計画要求を満たすかどうかを判定する時に、現在のサイト間の距離に基づいて構築されたネットワークにおいて、各ＵＥのアクセス及びスケジューリングのインデックス結果がネットワーク容量計画要求を満たすかどうかを判定することができ、そうであれば、現在のサイト間の距離がターゲットサイト間の距離であると確定し、そうでなければ、各ＵＥのアクセス及びスケジューリングのインデックス結果がネットワーク容量計画要求を満たすまでサイト間の距離を調整するように設置されることができる。
【００６０】
２）処理モジュール３０は、サイトの規模が知られてネットワークのサービス量を計画する必要がある場合、各ＵＥのアクセス及びスケジューリングのインデックス結果がネットワーク容量計画要求を満たすかどうかを判定し、現在のサービス量に基づいて構築されたネットワークにおいて、各ＵＥのアクセス及びスケジューリングのインデックス結果がネットワーク容量計画要求を満たすかどうかを判定することができ、そうであれば、現在のサービス量がターゲットサービス量であると確定し、そうでなければ、各ＵＥのアクセス及びスケジューリングのインデックス結果がネットワーク容量計画要求を満たすまでサービス量を調整するように設置されることができる。
【００６１】
３）ネットワークのターゲット計画パラメータを確定した後、処理モジュール３０は、さらに、ターゲット計画パラメータに基づいて構築されたネットワークにおいて、各ＵＥのサービスタイプに応じて各ＵＥのアクセス及びスケジューリングを行い、そして各ＵＥのアクセス及びスケジューリングのインデックス結果を統計することができるように設置されることができる。
【００６２】
好ましい実施例一
本発明の好ましい実施例によれば、従来モードにおける容量計画方式により計画設計品質と多種類のシーンの応用を保証することができないことを考えて、新しい容量計画方式を提供し、シーン分析によりインテグラルインデックスを判定し、標準なセルラーモデルに基づくＳＩＮＲ確率分布曲線を計算し、一回のスナップショットにおけるＵＥ  ＳＩＮＲを割り当てて、サービス特徴に応じてシミュレートプロセスにおけるアクセスおよびスケジューリングを行い、今回のスナップショット結果を取得し、異なるシーンにおける容量計画要求により、条件に該当する計画結果を取得することを実現する。無線ネットワーク容量計画の精度を向上させ、計画を設計する場合に用いられてネットワーク構成のためにガイダンスを提供する。
【００６３】
本発明の実施例において、ユーザ数、即ちサービス量を計画することを例にして説明する。一回の容量計画は、複数のスナップショットを含み、一回のスナップショットのインテグラルインデックスが一回ステッピングすると、一回のスナップショットのプロセスが図５に示される。当該方法は、ステップＳ５０２〜ステップＳ５１８を含む。
【００６４】
ステップＳ５０２、トラフィックモデルを入力する。
【００６５】
ステップＳ５０４、現在のユーザ数を確定する。
【００６６】
ステップＳ５０６、ＣＩＮＲモデリング及びユーザ割り当て。
【００６７】
ステップ５０８、ＳＮＲスペクトル効率のマッピング。
【００６８】
ステップ５１０、ＣＩＮＲとＲＢ数上限値のマッピングが行われる。
【００６９】
ステップ５１２、優先順位及びスケジューリングアルゴリズム。
【００７０】
ステップ５１４、最大ＴＴＩに達するかどうかを判定し、そうであれば、ステップＳ５１６に入り、そうでなければ、ステップＳ５０８に戻る。
【００７１】
ステップＳ５１６、現在のユーザ数が計画要求を満たすかどうかを判定し、そうであれば、ステップＳ５１８に入り、そうでなければ、ステップＳ５０４に戻る。
【００７２】
ステップＳ５１８、現在のユーザ数がターゲットユーザ数であると確定する。
具体的には、当該方法は、ステップ１〜ステップ７を含むことができる。
ステップ１、計画シーンを確定し、本発明の好ましい実施例において、容量計画応用が第一種類はサイト規模の推定で、第二種類はユーザ規模の推定で、第三種類は前記サイトとユーザ構成が知られた条件で、ネットワークの様々なインデックスが統計されることであって、異なるシーンにおけるインテグラル基準も異なることという３種類のシーンに分けられる。
【００７３】
ステップ２、トラフィック分布を生成する。例えば、典型的なセルラーモデルシーンに基づいて、各セルの大量のＵＥ端末の分布を生成し、ＳＩＮＲの典型的な値の計算に用いる。
【００７４】
ステップ３、ＳＩＮＲ分布曲線を生成する。ＵＥ端末の分布に基づいて、それぞれ上り及び下りＳＩＮＲインデックスを計算する。限られたＳＩＮＲ点に基づいて、ＳＩＮＲ分布曲線を補間して生成する。
【００７５】
ステップ４、ＵＥ端末へのＳＩＮＲ割り当てを計画し、このようなＵＥとＳＩＮＲ分布曲線に関するＵＥ端末の意義が異なり、ＳＩＮＲ分布曲線のＵＥ端末は、ＳＩＮＲを生成するためのものだけであり、当該ＵＥが多ければ多いほど、ＳＩＮＲがより正確である。ＵＥ端末のシミュレートの入力するＵＥ数又は計算されたＵＥ数を計画する。
【００７６】
ステップ５、サービスデータストリームを生成する。異なるサービスが遅延、レートに対して一定の要求を有するので、ユーザ特徴に応じてＴＴＩでストリームを生成する。各ＴＴＩで１つのアクセスキューを維持し、システムのスケジューリングを待つ。
【００７７】
ステップ６、資源をスケジュール及び割り当てる。各ＴＴＩで１つのアクセス待ちキューがあり、具体的にどのＵＥにアクセスするかは、スケジューリングポリシーによって決定され、同時にスケジューリング公平性を考えるので、各ＵＥ端末は、ネットワークにサービスされている。ＳＩＮＲに対応するＲＢ数に基づいてリソースを割り当てる。
【００７８】
ステップ７、今回のシーンスナップショット統計結果を計算する。異なるシーン分析結果によって、結果統計には、主にセルトラフィック、ＳＥ、アクセス満足度、セルエッジトラフィックなどのインデックスの計算が含まれる。
【００７９】
本発明の好ましい実施例において、比較的に正確なシステム容量計算方法を実現し、ネットワークの実際の運用特徴とサービスの実際の特徴を組み合わせて容量計画を行って、無線ネットワークの通信品質を保証し、容量計画の応用シーンを広げ、且つプランナーの動作効率を向上させ、それによって無線ネットワーク容量計画レベルを高める。
【００８０】
好ましい実施例二、
本発明の好ましい実施例において、典型的なセルラーモデルシーンに基づいて容量計画を行う場合を例にして、本発明の好ましい実施例の無線ブロードバンドネットワークに用いられる容量計画方法を説明する。
【００８１】
具体的には、当該方法は、ステップ１〜ステップ７を含むことができる。
ステップ１、計画シーンを判定する。
容量計画は、
サイトの規模が知られてネットワークのサービス量を推定する必要がある場合、サービス量が知られないので、サービス量（即ちユーザ数）のインテグラルを試し、毎回のスナップショットの場合、ユーザ規模が変化し、ユーザ規模の増加に伴い、そのネットワークのサービス量も異なり、最終に１つのネットワークのバランスに傾向し、実際に合致する第一のシーンと、
サービス量が知られた場合、出力サイト規模をシミュレートし、ほぼのプロセスが第一のシーンと同様であり、唯一の違いが、サイト規模が知られないので、インテグラルのインデックスがサイト間の距離になり、即ち毎回のスナップショットの場合のサイト間の距離が変化することである第二のシーンと、
サイト規模とサービス量がいずれも知られた場合、演算をインテグラルすることなく、このシーンにおける様々な要求項目をシミュレートして計算する第三のシーンとの３つのシーンを含む。
【００８２】
ステップ２、トラフィック分布を生成し、即ちＵＥ端末が典型的なセルラーモデルに分布し、上り及び下りＳＩＮＲを計算し、大量のＳＩＮＲサンプルポイントを生成することに用いられる。具体的な方法は、次の通りであり、
典型的なセルラーモデルを生成し、セルラーモデルの各セルの境界位置を確定し、前記セルの境界位置範囲に応じてＵＥの座標をランダムに生成してＵＥの分布点を取得する。クラスタ内にＵＥの数をセクタで判定し、各セクタに分布されたＵＥ数が同じである。Ｎ個のＵＥを研究しようとする場合、下り干渉が基地局のみに由来するので、下りにおいて中心クラスタ範囲内にＮ個の点を分布し、上りにおいて中心クラスタのＵＥのＳＩＮＲを計算する必要があるが、上り干渉が各クラスタのＵＥに由来する可能性があるので、すべてのクラスタに点を分布し、各クラスタに同様にＮ個の点を分布することができる。
【００８３】
ステップ３、ＳＩＮＲ分布曲線を生成する。ＵＥの位置を判定すると、信号強度数式に基づいて上り及び下りＳＩＮＲを得ることができる。
【００８４】
上り及び下りＳＩＮＲ数式は、Ｕ−ＳＩＮＲ＝Ｓ／Ｉ＋Ｎである。上り及び下りＳＩＮＲが同じ数式で計算され、その違いがＳとＩに代表される意味が異なることである。上りＳＩＮＲを計算する場合、Ｓがセルに受信された信号電力であり、Ｎがセルの熱雑音であり、下りＳＩＮＲを計算する場合、ＳがＵＥにより受信された信号電力であり、ＮがＵＥ側の熱雑音である。
【００８５】
同時に、上及び下りＳＩＮＲを計算する場合、数式におけるＩが異なり、上りＩの干渉がＵＥに由来し、ここで中心クラスタのセルへの干渉のみを考える。中心クラスタのＵＥのある主セルがＡセルであると仮定する場合、１個のセルラーモデルに７個のクラスタがあり、各クラスタに２１個のセルがあり、各クラスタのセルの番号が同じであり、クラスタ１にＡ、Ｂ、Ｃ…Ｕ個の番号付きセルがあり、クラスタ２に同様にＡ、Ｂ、Ｃ…Ｕ個の番号付きセルがある。干渉を計算する場合、すべてのクラスタにおける他のＢ、Ｃ、Ｄ…ＵセルのＵＥからＡセルまでの受信電力のみを計算することができる。
【００８６】
Ｂセルを例にすると、まずすべてのクラスタのＢセルからランダムに１個のＵＥを干渉ＵＥとして選択し、次にこれらのクラスタのＢセルの干渉ＵＥから中心クラスタのＡセルまでの大幅な減衰を計算し、最後その中から信号電力の最大値、即ち、Ｂセルの干渉ＵＥのＡセルに対する干渉として選択する。すべてのＡ、Ｂ、Ｃなどの２１個のセル値を加算して上り干渉になる。
【００８７】
下りＩの干渉源がすべてのクラスタの対応する番号が同じであるセルから当該ＵＥまでの大幅な減衰であり、その後その中から最大値を当該セルから当該ＵＥまでの大幅な減衰として選択する。ＵＥのある主セルを除いた２１個のセル受信電力を加算する和が下りＩである。
【００８８】
ステップ４、ＳＩＮＲを割り当てる。ＳＩＮＲサンプル値がその確率分布に応じてすべての呼び出しユーザに割り当てられ、即ちＳＩＮＲのＣＤＦ曲線の縦座標は離散している点として平均に値が取られ、それをＳＩＮＲに対応させて同時呼び出しユーザに割り当てる。例えば、割り当てすべき呼び出しユーザは、１０個であり、ＳＩＮＲサンプル値は、１０００個の点があり、１００個あたりの点の間の距離に応じて値を取られ、呼び出しユーザに割り当てられる。この割り当てられたＳＩＮＲ値は、シミュレート中のユーザの実際のＳＩＮＲ値である。サンプルポイントが多いほど、その最後の結果が正確になる。
【００８９】
ステップ５、サービスデータストリームを生成する。異なるサービスデータストリームの生成モードが異なるので、遅延に対する要求が高い会話類サービスに対して、その主要な特徴が、サービスレートが安定し、単位時間当たりに生成されたパケット数が安定することである。遅延要求が低いストリームサービスに対して、レートが一定の範囲内で変動し、遅延要求がない。サービスデータストリームを生成する場合、まず、サービス特徴を判定し、ストリームサービスであれば、各ＴＴＩで一定のランダム分布に応じて条件に該当するデータ量を生成する。会話類サービスであれば、ランダムモードによってこのサービス遅延要求に適合するパケット間隔時間を生成し、次に、パケット間隔時間点にパケットの大きさを生成する。
【００９０】
ステップ６、資源をスケジューリングして割り当てる。各サービスに対して、ＴＴＩあたりにパケットが生成される場合、アクセスキューに入って、スケジューリングを待つ。
【００９１】
ここで、一つのアクセスキューにおいて様々な優先順位を有する。図６は本発明の好ましい実施例２によるＵＥのスケジューリング方法のフローチャートであり、図６はこのステップに対する詳細な説明であり、図６に示すように、まず高優先順位のサービスのＵＥが先にスケジューリングされることを保証し、サービスの優先順位が同じであれば、履歴トラフィックの逆数に応じてソートし、履歴トラフィックが低いほど、スケジューリング優先順位が高い。
【００９２】
スケジューリングされたＵＥがこの前に割り当てられたＳＩＮＲに応じてトラフィックを取得することにより、優先順位が高いサービスのＵＥが先に資源を取得することが保証され、優先順位が低いサービスのＵＥが資源を取得する順番も低く、ある程度のスケジューリングの公平性を反映する。
【００９３】
ステップ７、今回のインテグラルでのインデックス結果を統計する。トラフィック分布を確定し、ＳＩＮＲを割り当てて、スケジューリングなどのプロセスにアクセスする。同時にサービスシーンによってインデックスインテグラル及びステッピング長さの更新を行うかどうかを決定する。今回のインテグラルインデックスが一般的なセルセルトラフィック、セルエッジスペクトル効率、サービス満足度、サービスユーザ数などを含む。第一のシーンの場合、インテグラルユーザ数をさらに含み、第二のシーンの場合、サイト数を含む。
【００９４】
本発明の実施例により、計画設計段階において、計画モードとサービス特徴と組み合わせて、計画エリアに対して容量インデックス設計を行って、ネットワーク計画パラメータがより合理的であることを確保し、従来モードでの容量計画モードが単一であり、サービスモデリングが比較的簡単であるので計画結果が不確実になることを避けることができる。
【００９５】
上記の説明から分かるように、本発明の実施例は、現在の確定すべきネットワーク計画パラメータに基づいてネットワークを構築しようとする場合において、各ＵＥのサービスタイプに応じて各ＵＥのアクセス及びスケジューリングを行い、各ＵＥのアクセス及びスケジューリングのインデックス結果を統計し、そして前記インデックス結果がネットワーク容量計画要求を満たすかどうかを判定し、そうであれば、現在のネットワーク計画パラメータがターゲット計画パラメータであると確定し、そうでなければ、各ＵＥのアクセス及びスケジューリングのインデックス結果がネットワーク容量計画要求を満たすまでネットワーク計画パラメータを調整するような技術効果を達成する。サービス特徴に応じてマルチサービスのネットワーク容量を計画することにより、システム容量をより正確に計算することを実現し、ネットワークの実際の運用特徴とサービスの実際な特徴を組み合わせて容量計画を行うことにより、ネットワーク容量計画の精度を向上させ、無線ネットワークの通信品質を保証し、容量計画の応用シーンを広げ、且つプランナーの動作効率を向上させ、それによって無線ネットワーク容量計画レベルを高める。
【００９６】
明らかに、当業者は、上記の本発明の実施例の各モジュール又は各ステップが汎用の計算装置で実現されることができ、それらが単一の計算装置に集中され、または、複数の計算装置からなるネットワークに分布されることができ、必要に応じて、それらが計算装置により実行されるプログラムコードで実現されることができ、それによってそれらを記憶装置に記憶して計算装置によって実行することができ、且つある場合で、これとは異なる順番で、示された説明されたステップを実行し、又は、それらをそれぞれ各集積回路モジュールに作成し、又は、それらのうちの複数のモジュール又はステップを単一の集積回路モジュールに作成することにより実現されることができると理解すべきである。このように、本発明の実施例は、任意の特定のハードウェアとソフトウェアの組み合わせに限定されない。
【００９７】
以上は、本発明の好ましい実施例であり、本分野の当業者に対して、本発明に記載の原理から逸脱することない前提で、若干の改良と改修を行うことができ、これらの改良と改修が本発明の保護範囲と見なされるべきであると指摘すべきである。
【産業上の利用可能性】
【００９８】
本発明の実施例において現在の確定すべきネットワーク計画パラメータに基づいてネットワークを構築しようとする場合において、各ＵＥのサービスタイプに応じて各ＵＥのアクセス及びスケジューリングを行い、そして各ＵＥのアクセス及びスケジューリングのインデックス結果を統計し、そして各ＵＥのアクセス及びスケジューリングのインデックス結果がネットワーク容量計画要求を満たすまで前記インデックス結果がネットワーク容量計画要求を満たすかどうかによってターゲット計画パラメータを確定する。本発明の実施例により、サービス特徴に応じてマルチサービスのネットワーク容量を計画することを実現し、ネットワーク容量計画の精度を向上させる。
【図１】
0006042979.tif 000002
【図２】
0006042979.tif 000003
【図５】
0006042979.tif 000004
【図６】
0006042979.tif 000005
【図３】
0006042979.tif 000006
【図４】
0006042979.tif 000007